(57)【要約】【課題】会員用記録媒体を取り忘れた場合に、他の遊技客への悪影響並びに店員の労力を効率良く低減することを課題とする。【解決手段】台間カード処理機１０は、カード収納部１５ｄの最上部の位置に収納されたカードが会員カードであり、該会員カードに関連付けられたプリペイド価値及び持玉数が「０」である状態で紙幣を受け付けた場合に、該会員カードを一般カードとして取り扱うための一般カードフラグ「オン」を会員カードに設定するようカード管理装置４０に依頼し、遊技店に配設された各機器（台間カード処理機１０、景品管理装置６０、精算機９０）は、受け付けた会員カードに一般カードフラグが設定されている場合には、該会員カードを一般カードとして取り扱い制御する。【選択図】図１
2012228440.tif 000002
【特許請求の範囲】
【請求項１】
遊技機に併設され、記録媒体に関連付けられた価値情報の範囲内で遊技可能とするとともに、所定の記録媒体排出操作を受け付けた場合に、内部に収納された記録媒体にその時点の価値情報を関連付けた後に該記録媒体を排出処理する各台装置を含む遊技システムであって、
前記各台装置に収納された記録媒体が会員用記録媒体であり、該会員用記録媒体に関連付けられた価値情報が所定以下である状態で貨幣を受け付けた場合に、該会員用記録媒体を一般用記録媒体として取り扱うための一般用記録媒体化情報を会員用記録媒体に関連付けて設定する一般化設定手段を備え、
遊技店に配設された各機器は、
受け付けた会員用記録媒体に一般用記録媒体化情報が設定されている場合には、該会員用記録媒体を一般用記録媒体として取り扱い制御する制御手段を備えた
ことを特徴とする遊技システム。
【請求項２】
前記価値情報は、プリペイド価値を含み、
前記一般化設定手段は、前記各台装置に収納された記録媒体が会員用記録媒体であり、該会員用記録媒体に関連付けられたプリペイド価値が所定以下である状態で貨幣を受け付けた場合に、該会員用記録媒体に前記一般用記録媒体化情報を設定する
ことを特徴とする請求項１に記載の遊技システム。
【請求項３】
前記価値情報は、持ち遊技媒体数を含み、
前記一般化設定手段は、前記各台装置に収納された記録媒体が会員用記録媒体であり、該会員用記録媒体に関連付けられた持ち遊技媒体数が所定量以下である状態で貨幣を受け付けた場合に、該会員用記録媒体に前記一般用記録媒体化情報を設定する
ことを特徴とする請求項１に記載の遊技システム。
【請求項４】
前記各台装置が前記会員用記録媒体を受け付けた場合に、所定のタイミングに暗証情報の入力及び照合を必要とするように設定する不正対策設定手段を備え、
前記不正対策設定手段により暗証情報が必要であると設定され、かつ、前記一般記録媒体化情報が関連付けられていない会員用記録媒体を前記各台装置が受け付けたときは、前記所定のタイミングに際して正当な暗証情報の入力を必要としないことを特徴とする請求項１〜３のいずれか一つに記載の遊技システム。
【請求項５】
遊技店に配設された景品管理装置が前記会員用記録媒体を受け付けた場合に、該会員用記録媒体に関連付けられた価値情報を景品交換処理する際に、暗証情報の入力及び照合を必要とするように設定する不正対策設定手段を備え、
前記不正対策設定手段により暗証情報が必要であると設定され、かつ、前記一般記録媒体化情報が関連付けられていない会員用記録媒体を前記各台装置が受け付けたときは、前記価値情報の景品交換処理に際して正当な暗証情報の入力を必要とするが、前記一般記録媒体化情報が関連付けられた会員用記録媒体を前記各台装置が受け付けたときは、前記不正対策設定手段による設定に関わらず、前記価値情報の景品交換処理に際して正当な暗証情報の入力を必要としないことを特徴とする請求項１〜４のいずれか一つに記載の遊技システム。
【請求項６】
前記景品管理装置は、前記一般用記録媒体化情報が関連付けられた会員用記録媒体を受け付けると、一般用記録媒体化情報が関連付けられた会員用記録媒体を受け付けた旨を報知することを特徴とする請求項５に記載の遊技システム。
【請求項７】
遊技店に配設された精算機が前記会員用記録媒体を受け付けた場合に、該会員用記録媒体に関連付けられた価値情報を精算処理する際に、暗証情報の入力及び照合を必要とするように設定する不正対策設定手段を備え、
前記不正対策設定手段により暗証情報が必要であると設定され、かつ、前記一般記録媒体化情報が関連付けられていない会員用記録媒体を前記各台装置が受け付けたときは、前記価値情報の精算処理に際して正当な暗証情報の入力を必要とするが、前記一般記録媒体化情報が関連付けられた会員用記録媒体を前記各台装置が受け付けたときは、前記不正対策設定手段による設定に関わらず、前記価値情報の精算処理に際して正当な暗証情報の入力を必要としないことを特徴とする請求項１〜６のいずれか一つに記載の遊技システム。
【請求項８】
前記精算機は、一般用記録媒体化情報が関連付けられていない会員用記録媒体の精算処理を終えたならば前記価値情報の有無に関わらず該会員用記録媒体を返却処理し、一般用記録媒体化情報が関連付けられた会員用記録媒体の精算処理を終えたならば残余の価値情報が存在しないことを条件に該会員用記録媒体を装置内部に設けた収納部に収納処理することを特徴とする請求項７に記載の遊技システム。
【請求項９】
遊技機に併設され、記録媒体に関連付けられた価値情報の範囲内で遊技可能とするとともに、所定の記録媒体排出操作を受け付けた場合に、内部に収納された記録媒体にその時点の価値情報を関連付けた後に該記録媒体を排出処理する各台装置を含む遊技システムの会員用記録媒体処理方法であって、
前記各台装置に収納された記録媒体が会員用記録媒体であり、該会員用記録媒体に関連付けられた価値情報が所定以下である状態で貨幣を受け付けた場合に、該会員用記録媒体を一般用記録媒体として取り扱うための一般用記録媒体化情報を会員用記録媒体に関連付けて設定する一般化設定工程と、
遊技店に配設された各機器が、受け付けた会員用記録媒体に一般用記録媒体化情報が設定されている場合には、該会員用記録媒体を一般用記録媒体として取り扱い制御する制御工程と
を含んだことを特徴とする会員用記録媒体処理方法。
【発明の詳細な説明】
【技術分野】
【０００１】
この発明は、遊技店に会員登録した会員が各台装置内に所在する会員用記録媒体を取り忘れた場合に、他の遊技客への悪影響並びに店員の労力を効率良く低減することができる遊技システム及び会員用記録媒体処理方法に関する。
【背景技術】
【０００２】
従来、パチンコ店などの遊技店には、パチンコ玉等の遊技媒体を貸し出す台間カード処理機が遊技機に併設される事が多い。最近では、かかる台間カード処理機に対して遊技媒体数を計数する計数部を設け、この台間カード処理機の計数部で計数した遊技媒体数を持玉数としてカードＩＤに対応づけて台間カード処理機並びにカード管理装置で管理するとともに、遊技客が台間カード処理機で持玉払出操作を行うことで、かかる持玉数を所定数ずつ払い出す各台計数機付き台間カード処理機が普及しつつある（例えば、特許文献１参照）。
【０００３】
遊技客は、この種の台間カード処理機に現金を投入することで、遊技媒体の貸し出しを受けることができる。遊技客が遊技機の台移動又は遊技を終了するために所定のカード排出操作を行うと、プリペイド価値及び持玉数が関連付けられた一般カードが排出される。このため、遊技客は、一般カードを店員に手渡し、この店員によって景品管理装置に一般カードが挿入されると、持玉数が景品交換処理される。また、遊技客は、一般カードを精算機に挿入することで、一般カードに関連付けられたプリペイド価値を現金に精算することができる。
【０００４】
ところで、遊技店に会員登録した遊技客は、かかる一般カードの代わりに会員カードを用いて同様の処理を行うことができる。具体的には、会員が、台間カード処理機に現金を投入する前に会員カードを挿入すれば、貯玉数の場合と同様にプリペイド価値及び持玉数を会員カードに関連付けることができる。また、この会員カードを台間カード処理機から排出し、排出した会員カードを景品管理装置に挿入することにより該会員カードに関連付けられた持玉数を景品交換処理することができる。さらに、会員カードを精算機に挿入することにより、会員カードに関連付けられたプリペイド価値を現金に精算処理することができる。
【先行技術文献】
【特許文献】
【０００５】
【特許文献１】特開２００７−２２９１１１号公報
【発明の概要】
【発明が解決しようとする課題】
【０００６】
しかしながら、ある会員が台間カード処理機から会員カードを取り忘れた場合には、会員カードを紛失する問題が生ずるだけではなく、他の遊技客に対する悪影響をもたらすと言う問題が生ずる。他の遊技客にとっては、台間カード処理機内に会員カードが挿入されている事実が分からず、台間カード処理機に一般カードがスタックされている前提で紙幣を挿入してしまう場合があるからである。その結果、ある会員の会員カードに他の遊技客のプリペイド価値や持玉数が関連付けられてしまい、他の遊技客が知らない会員の暗証番号が要求されてしまう。
【０００７】
例えば、ある会員Ａが遊技機に併設された台間カード処理機に会員カードを挿入した状態で離席及び退店し、その後に会員Ａとは別の他の遊技客Ｂがこの遊技機で遊技を行う場合を考えると、台間カード処理機にスタックされる最上位に会員カードが所在することになる。このような場合に、この会員カードのプリペイド価値及び持玉数が共に零であれば、この遊技機で遊技を行おうとする他の遊技客Ｂは、台間カード処理機に会員カードが挿入されている事実が分からない。台間カード処理機に会員カードが挿入されている事実を示す表示がなされないためである。
【０００８】
したがって、遊技客Ｂが台間カード処理機に紙幣を挿入すると、この紙幣分のプリペイド価値が会員Ａの会員カードに対して関連付けられ、遊技客Ｂが獲得した持玉数についても会員Ａの会員カードに対して関連付けられてしまう。その結果、この遊技客Ｂが景品交換カウンターに会員カードを持参して持玉数を景品交換しようとすると、遊技客Ｂが知らない会員Ａの暗証番号を要求されてしまう。会員カードを用いた景品交換を行う場合には、暗証番号入力が必要になるためである。また、遊技客Ｂが会員カードを精算機に挿入してプリペイドカード残高の精算を行おうとした場合にも、会員Ａの暗証番号を要求されてしまう。さらに、遊技客Ｂが台間カード処理機からカードを排出する時点で会員Ａの暗証番号が要求される場合もある。
【０００９】
このような場合に、当然ながら遊技客Ｂは会員Ａの暗証番号を知らないため、景品交換カウンターの店員が、何らかの方策で会員Ａの暗証番号を入手して暗証番号入力する必要が生ずるが、セキュリティの保護対策が講じられている遊技店では、たとえ店員であっても会員の暗証番号を知ることはできない。
【００１０】
このため、景品交換カウンターの店員は、操作ログや監視カメラの映像等を確認して状況を確認したうえで、手作業で景品交換処理等を行う必要が生じる結果となり、店員の人的労力を要するとともに、遊技客Ｂに対して円滑な一連の遊技環境を提供することができない。
【００１１】
これらのことから、遊技店に会員登録した会員が台間カード処理機内に所在する会員カードを取り忘れた場合に、いかにして他の遊技客への悪影響を低減するか、いかにして店員の労力を軽減するかが、重要な課題となっている。かかる課題は、会員カードのみならず他の会員用記録媒体を用いる場合にも同様に生ずる課題である。
【００１２】
本発明は、上述した従来技術の課題を解消するためになされたものであって、遊技店に会員登録した会員が各台装置内に所在する会員用記録媒体を取り忘れた場合に、他の遊技客への悪影響並びに店員の労力を効率良く低減することができる遊技システム及び会員用記録媒体処理方法を提供することを目的とする。
【課題を解決するための手段】
【００１３】
上述した課題を解決し、目的を達成するため、本発明は、遊技機に併設され、記録媒体に関連付けられた価値情報の範囲内で遊技可能とするとともに、所定の記録媒体排出操作を受け付けた場合に、内部に収納された記録媒体にその時点の価値情報を関連付けた後に該記録媒体を排出処理する各台装置を含む遊技システムであって、前記各台装置に収納された記録媒体が会員用記録媒体であり、該会員用記録媒体に関連付けられた価値情報が所定以下である状態で貨幣を受け付けた場合に、該会員用記録媒体を一般用記録媒体として取り扱うための一般用記録媒体化情報を会員用記録媒体に関連付けて設定する一般化設定手段を備え、遊技店に配設された各機器は、受け付けた会員用記録媒体に一般用記録媒体化情報が設定されている場合には、該会員用記録媒体を一般用記録媒体として取り扱い制御する制御手段を備えたことを特徴とする。
【００１４】
また、本発明は、上記発明において、前記価値情報は、プリペイド価値を含み、前記一般化設定手段は、前記各台装置に収納された記録媒体が会員用記録媒体であり、該会員用記録媒体に関連付けられたプリペイド価値が所定以下である状態で貨幣を受け付けた場合に、該会員用記録媒体に前記一般用記録媒体化情報を設定することを特徴とする。
【００１５】
また、本発明は、上記発明において、前記価値情報は、持ち遊技媒体数を含み、前記一般化設定手段は、前記各台装置に収納された記録媒体が会員用記録媒体であり、該会員用記録媒体に関連付けられた持ち遊技媒体数が所定量以下である状態で貨幣を受け付けた場合に、該会員用記録媒体に前記一般用記録媒体化情報を設定することを特徴とする。
【００１６】
また、本発明は、上記発明において、前記各台装置が前記会員用記録媒体を受け付けた場合に、所定のタイミングに暗証情報の入力及び照合を必要とするように設定する不正対策設定手段を備え、前記不正対策設定手段により暗証情報が必要であると設定され、かつ、前記一般記録媒体化情報が関連付けられていない会員用記録媒体を前記各台装置が受け付けたときは、前記所定のタイミングに際して正当な暗証情報の入力を必要としないことを特徴とする。
【００１７】
また、本発明は、上記発明において、遊技店に配設された景品管理装置が前記会員用記録媒体を受け付けた場合に、該会員用記録媒体に関連付けられた価値情報を景品交換処理する際に、暗証情報の入力及び照合を必要とするように設定する不正対策設定手段を備え、前記不正対策設定手段により暗証情報が必要であると設定され、かつ、前記一般記録媒体化情報が関連付けられていない会員用記録媒体を前記各台装置が受け付けたときは、前記価値情報の景品交換処理に際して正当な暗証情報の入力を必要とするが、前記一般記録媒体化情報が関連付けられた会員用記録媒体を前記各台装置が受け付けたときは、前記不正対策設定手段による設定に関わらず、前記価値情報の景品交換処理に際して正当な暗証情報の入力を必要としないことを特徴とする。
【００１８】
また、本発明は、上記発明において、前記景品管理装置は、前記一般用記録媒体化情報が関連付けられた会員用記録媒体を受け付けると、一般用記録媒体化情報が関連付けられた会員用記録媒体を受け付けた旨を報知することを特徴とする。
【００１９】
また、本発明は、上記発明において、遊技店に配設された精算機が前記会員用記録媒体を受け付けた場合に、該会員用記録媒体に関連付けられた価値情報を精算処理する際に、暗証情報の入力及び照合を必要とするように設定する不正対策設定手段を備え、前記不正対策設定手段により暗証情報が必要であると設定され、かつ、前記一般記録媒体化情報が関連付けられていない会員用記録媒体を前記各台装置が受け付けたときは、前記価値情報の精算処理に際して正当な暗証情報の入力を必要とするが、前記一般記録媒体化情報が関連付けられた会員用記録媒体を前記各台装置が受け付けたときは、前記不正対策設定手段による設定に関わらず、前記価値情報の精算処理に際して正当な暗証情報の入力を必要としないことを特徴とする。
【００２０】
また、本発明は、上記発明において、前記精算機は、一般用記録媒体化情報が関連付けられていない会員用記録媒体の精算処理を終えたならば前記価値情報の有無に関わらず該会員用記録媒体を返却処理し、一般用記録媒体化情報が関連付けられた会員用記録媒体の精算処理を終えたならば残余の価値情報が存在しないことを条件に該会員用記録媒体を装置内部に設けた収納部に収納処理することを特徴とする。
【００２１】
また、本発明は、遊技機に併設され、記録媒体に関連付けられた価値情報の範囲内で遊技可能とするとともに、所定の記録媒体排出操作を受け付けた場合に、内部に収納された記録媒体にその時点の価値情報を関連付けた後に該記録媒体を排出処理する各台装置を含む遊技システムの会員用記録媒体処理方法であって、前記各台装置に収納された記録媒体が会員用記録媒体であり、該会員用記録媒体に関連付けられた価値情報が所定以下である状態で貨幣を受け付けた場合に、該会員用記録媒体を一般用記録媒体として取り扱うための一般用記録媒体化情報を会員用記録媒体に関連付けて設定する一般化設定工程と、遊技店に配設された各機器が、受け付けた会員用記録媒体に一般用記録媒体化情報が設定されている場合には、該会員用記録媒体を一般用記録媒体として取り扱い制御する制御工程とを含んだことを特徴とする。
【発明の効果】
【００２２】
本発明によれば、各台装置に収納された記録媒体が会員用記録媒体であり、該会員用記録媒体に関連付けられた価値情報が所定以下である状態で貨幣を受け付けた場合に、該会員用記録媒体を一般用記録媒体として取り扱うための一般用記録媒体化情報を会員用記録媒体に関連付けて設定し、遊技店に配設された各機器は、受け付けた会員用記録媒体に一般用記録媒体化情報が設定されている場合には、該会員用記録媒体を一般用記録媒体として取り扱い制御するよう構成したので、遊技店に会員登録した会員が各台装置内に所在する会員用記録媒体を取り忘れた場合に、他の遊技客への悪影響並びに店員の労力を効率良く低減することができる。具体的には、各台装置から会員用記録媒体を排出する場合、景品管理装置で持ち遊技媒体数を景品交換処理する場合、精算機でプリペイド価値を精算処理する場合の暗証番号入力を不要にし、また会員用記録媒体の回収を円滑に行うことができる。
【図面の簡単な説明】
【００２３】
【図１】図１は、本実施例に係る遊技システムの概念を説明するための説明図である。
【図２】図２は、本実施例に係る遊技システムのシステム構成を示す図である。
【図３】図３は、図２に示した台間カード処理機の外観構成を示す図である。
【図４】図４は、図３に示したカードユニット部の概略図である。
【図５】図５は、図２に示した台間カード処理機、カード管理装置及び会員管理装置の内部構成を示す機能ブロック図である。
【図６】図６は、図４に示したカード情報の一例を示す図である。
【図７】図７は、図４に示した会員情報の一例を示す図である。
【図８】図８は、図２に示した景品管理装置の構成を示す機能ブロック図である。
【図９】図９は、図２に示した精算機の構成を示す機能ブロック図である。
【図１０】図１０は、図２に示した台間カード処理機による紙幣受付時の処理手順を示すフローチャートである。
【図１１】図１１は、図２に示した台間カード処理機によるカード排出時の処理手順を示すフローチャートである。
【図１２】図１２は、図２に示した景品管理装置による景品交換の処理手順を示すフローチャートである。
【図１３】図１３は、図２に示した精算機による精算処理手順を示すフローチャートである。
【図１４】図１４は、会員が会員カードを取り忘れ、その後に会員カードの紛失を届け出た場合の処理手順を示すフローチャートである。
【図１５】図１５は、図４に示したカード情報の別の一例を示す図である。
【発明を実施するための形態】
【００２４】
以下に、添付図面を参照して、本発明に係る遊技システム及び会員用記録媒体処理方法の好適な実施例を詳細に説明する。なお、本実施例では、各台計数機能付きの台間カード処理機を用いた場合を示すこととする。
【実施例】
【００２５】
まず、本実施例に係る遊技システムの概念について説明する。図１は、本実施例に係る遊技システムの概念を説明するための説明図である。ここでは説明の便宜上、会員が取り忘れたプリペイド価値及び持玉数が共に零の会員カードが台間カード処理機１０のカード収納部の最上位に残置されていることとする。
【００２６】
同図に示すように、プリペイド価値及び持玉数が共に零の会員カードが台間カード処理機１０内部に収納されている状態で、他の遊技客が台間カード処理機１０に紙幣を挿入すると、この会員カードに一般カードフラグ（請求項１の「一般用記録媒体化情報」に対応）「オン」が設定される。そして、会員カードの一般カードフラグが「オン」になると、該会員カードがその後一般カードとして取り扱われる。
【００２７】
具体的には、この会員カードを台間カード処理機１０から排出し、景品管理装置６０に設けられたリーダライタ７０に挿入された場合には、会員カードの利用時に本来要求される暗証番号入力が要求されない。同様に、会員カードを精算機９０に送信された場合にも、会員カードの利用時に本来要求される暗証番号入力が要求されない。また、台間カード処理機１０から会員カードを排出する際に暗証番号入力を要求する仕組みを採用する場合であっても、会員カードの一般カードフラグが「オン」になると、暗証番号入力は要求されない。
【００２８】
このように、本実施例では、一般カードフラグを用いて会員が取り忘れた会員カードを一時的に一般カードとして取り扱うことにより、意図せずに会員カードを利用せねばならない他の遊技客の不都合を解消するとともに、店員による不要な労力を軽減している。
【００２９】
ここで、この会員カードは、カードの形状及び記録部分（ＩＣチップ）は一般カードと同じであり、後述するようにカードＩＤにより一般カードと区別される、また、カード表面の印刷等の外観が一般カードと異なるため、遊技客及び店員の目視により区別することができる。また、会員カードは、各タイミングで正当な暗証番号の入力を必要とするように設定できる。具体的には、あらかじめ所定のタイミング（会員登録時等）で「暗証番号の要否」及び「（必要時のみ）暗証番号」を登録しておき、（１）プリペイド価値や持玉の使用開始時、（２）台間カード処理機１０から会員カードを返却する時、（３）プリペイド価値を精算する時、（４）持玉や貯玉を景品交換する時等のうち希望するタイミングに、正当な暗証番号の入力を必要とするように設定できる。なお、本実施例では、説明を簡単にするために、全ての会員カードについて、上記全てのタイミングで暗証番号の照合が必要になるように設定されているものとする。
【００３０】
次に、本実施例に係る遊技システムのシステム構成について説明する。図２は、本実施例に係る遊技システムのシステム構成を示す図である。図２に示すように、この遊技システムは、複数の遊技機２０と、各遊技機２０にそれぞれ対応して設けられた台間カード処理機１０と、カード管理装置４０と、会員管理装置５０と、景品管理装置６０と、島端計数機８０と、精算機９０とが通信回線１００を介して接続されている。なお、複数の遊技機２０及び台間カード処理機１０は、島コントローラ３０を介して通信回線１００に接続されて遊技島を形成する。また、景品管理装置６０にはリーダライタ７０及び特殊景品払出装置７５が接続されて景品カウンターに設置される。
【００３１】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００３２】
この台間カード処理機１０には、遊技客が獲得した玉数を計数する各台計数機が設けられている。この各台計数機で計数された玉数は、持玉数として台間カード処理機１０内部の記憶部に記憶される。遊技客が所定の持玉払出操作を行うと、この持玉数から所定数が減算処理されるとともに、所定数の玉がノズルを介して遊技機２０の上皿に投出される。
【００３３】
また、遊技客が、所定のカード返却操作を行うと、台間カード処理機１０内部の記憶部に記憶した持玉数がカードに記憶されるとともに、該カードのカードＩＤ及び持玉数がカード管理装置４０に通知され、その後にカードが排出される。このため、遊技客は、このカードを他の遊技機２０に併設された台間カード処理機１０に挿入して持玉払出操作を行うことで、他の遊技機で遊技を行うことができる。また、現金の紙幣で遊技を開始する遊技客のために、台間カード処理機１０のカード収納部には予め複数枚の一般カードが収納されており、遊技客が所定のカード返却操作を行うと、このカード収納部に収納された最上位の位置に所在する一般カードにプリペイド価値及び持玉数が関連付けられる。
【００３４】
台間カード処理機１０は、プリペイド価値及び持玉数が共に零の会員カードがカード収納部の最上位に所在する状態で紙幣を受け付けた場合には、この会員カードの一般カードフラグを「オン」にするようカード管理装置４０に対して要求する。これにより、この会員カードはその後一般カードとして取り扱われる。
【００３５】
台間カード処理機１０は、所定のカード排出操作を受け付けた際に、カード収納部に収納された最上位の位置に所在するカードが一般カードである場合には、プリペイド価値及び持玉数を一般カードに格納し、カード管理装置４０に一般カードのプリペイド価値及び持玉数の更新指示を行った後に、一般カードを排出する。
【００３６】
一方、カード収納部に収納された最上位の位置に所在するカードが会員カードである場合には、該会員カードのカードＩＤをカード管理装置４０に送信して、一般カードフラグが「オン」であるか否かを確認する。そして、一般カードフラグが「オフ」である場合には、暗証番号入力を促し、この暗証番号が正しければ、プリペイド価値及び持玉数を会員カードに格納し、カード管理装置４０に会員カードのプリペイド価値及び持玉数の更新指示を行った後に、会員カードを排出する。これに対して、一般カードフラグが「オン」である場合には、暗証番号入力を促すことなくプリペイド価値及び持玉数を会員カードに格納し、カード管理装置４０に会員カードのプリペイド価値及び持玉数の更新指示を行った後に、会員カードを排出する。
【００３７】
島コントローラ３０は、遊技島に設けられた一群の遊技機２０及び台間カード処理機１０を束ねる中継装置である。カード管理装置４０は、カードのプリペイド価値、持玉数及び一般カードフラグ等をカード情報として管理する管理装置である。なお、会員カードについては一般カードフラグの設定対象とされるが、一般カードについては一般カードフラグの設定対象外とされる。
【００３８】
カード管理装置４０は、台間カード処理機１０からカードＩＤ及び持玉数を受信したならばカード情報を更新し、台間カード処理機１０からカードＩＤを受信したならば、該カードＩＤに対応する持玉数を台間カード処理機１０に通知する。また、カード管理装置４０は、景品管理装置６０からカードＩＤを受信したならば、このカードＩＤに対応する持玉数を景品管理装置６０に対して通知する。さらに、精算機９０からカードＩＤを受信したならば、このカードＩＤに対応するプリペイド価値を精算機９０に対して通知する。
【００３９】
さらに、カード管理装置４０は、台間カード処理機１０からカードＩＤを含む一般カードフラグの変更要求を受け付けたならば、該カードＩＤの会員カードの一般カードフラグを「オン」にするととともに、その旨が会員管理装置５０に対して通知される。なお、この会員カードを回収した店員により所定の操作がなされた場合若しくは閉店処理がなされた場合に、この会員カードの一般カードフラグが「オフ」にされ、その旨が会員管理装置５０に対して通知される。
【００４０】
会員管理装置５０は、遊技店に会員登録された会員の会員データを管理する管理装置である。具体的には、会員に対して発行した会員カードＩＤに対応づけて、貯玉、ポイント、暗証番号、氏名並びにロックフラグ等を管理する。このロックフラグは、一般カードフラグが「オン」にされた旨の通知を受け付けた時点で設定されるフラグであり、このロックフラグが「オン」になっている間は貯玉の再プレイ及びポイントの利用が禁止される。
【００４１】
景品管理装置６０は、遊技店内の景品交換カウンターに併設された景品交換用の端末装置であり、計数玉、貯玉及び持玉の景品交換処理を行う。この景品管理装置６０には、リーダライタ７０及び特殊景品払出装置７５が接続されている。リーダライタ７０は、カードの挿入を受け付けた際に、該カードのカードＩＤを読み取る装置である。特殊景品払出装置７５は、景品管理装置６０からの指示に応答して、特殊景品を払い出す装置である。
【００４２】
ここで、この景品管理装置６０は、リーダライタ７０が一般カードを受け付けた場合には、リーダライタ７０で読み出した一般カードのカードＩＤをカード管理装置４０に送信して、該一般カードの持玉数を要求する。また、景品管理装置６０は、リーダライタ７０が会員カードを受け付けた場合には、会員カードのカードＩＤをカード管理装置４０に送信して、一般カードフラグが「オン」であるか否かを確認する。そして、一般カードフラグが「オフ」である場合には、暗証番号入力を促し、暗証番号が正しい場合にリーダライタ７０で読み出した会員カードのカードＩＤをカード管理装置４０に送信して、該会員カードの持玉数を要求する。また、貯玉を景品交換する場合は、会員管理装置５０に対して貯玉数を要求する。一方、一般カードフラグが「オン」である場合には、暗証番号入力を促すことなくリーダライタ７０で読み出した会員カードのカードＩＤをカード管理装置４０に送信して、該会員カードの持玉数を要求する。
【００４３】
島端計数機８０は、遊技島端等に設けられ、遊技客が獲得した玉数を計数し、計数値をカードに関連付けるか、レシートへ印字して発行したり、会員カードを受け付けて貯玉処理を行う。精算機９０は、プリペイド価値が対応付けられたカードが挿入されると、このカードのカードＩＤをカード管理装置４０に送信し、該カードに対応するプリペイド価値を取得し、取得したプリペイド価値に相当する現金の払出を行う。
【００４４】
ここで、この精算機９０は、一般カードの挿入を受け付けた場合には、一般カードのカードＩＤをカード管理装置４０に送信して、該一般カードのプリペイド価値を要求する。また、景品管理装置６０は、会員カードを受け付けた場合には、会員カードのカードＩＤをカード管理装置４０に送信して、一般カードフラグが「オン」であるか否かを確認する。そして、一般カードフラグが「オフ」である場合には、会員に対して暗証番号入力を促し、暗証番号が正しい場合に会員カードのカードＩＤをカード管理装置４０に送信して該会員カードのプリペイド価値を要求し、精算処理を行う。一方、一般カードフラグが「オン」である場合には、暗証番号入力を促すことなく会員カードのカードＩＤをカード管理装置４０に送信して該会員カードのプリペイド価値を要求し、精算処理を行う。
【００４５】
次に、図２に示した台間カード処理機１０の外観構成について説明する。図３は、図２に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００４６】
図３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入口１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、プリペイド価値、貯玉データ及び持玉データが記憶されたカードを受け付けるカードユニット部１５と、携帯端末の識別子であるＩＤｍを読み取る携帯読取部１６とが設けられている。
【００４７】
また、台間カード処理機１０は、遊技客が獲得したパチンコ玉数を持玉数として計数する計数部１７と、獲得玉を貯留する持玉貯留部１８とを有する。遊技機２０の下皿２２から落下した遊技媒体は、持玉貯留部１８を経て計数部１７へと導かれる。この持玉貯留部１８には、持玉数を表示する持玉数表示部１８ａと、持玉を払い出す持玉払出ボタン１８ｂとが設けられている。この持玉数表示部１８ａは、７セグメント（７ＳＥＧ）のＬＣＤ等で構成され、後述する台間カード処理機１０の制御部１０ｃにより表示制御される。
【００４８】
なお、遊技機２０には、パチンコ玉を貯留する上皿２１及び該上皿２１の貯留量が増えたパチンコ玉を貯留する下皿２２が設けられている。この上皿２１には、カードを返却するカード返却ボタン２１ａが設けられている。
【００４９】
次に、図３に示した台間カード処理機１０のカードユニット部１５について、さらに詳細に説明する。図４は、図３に示したカードユニット部１５の概略図である。同図（ａ）には、カードユニット部１５を前面側（同図のＺ軸の負方向）からみた概略前面図を示し、同図（ｂ）には、カードユニット部１５を側面側（同図のＹＺ平面で切断しＸ軸の正方向）からみた概略側断面図を示している。
【００５０】
同図（ｂ）に示したように、カードユニット部１５は、カード搬送部１５ａと、リーダライタ部１５ｂと、カード収納部１５ｄとを備えている。また、リーダライタ部１５ｂは、アンテナ部１５ｃを有する。カードユニット部１５が取り扱うカードは、ＩＣチップを内蔵するいわゆるＩＣカードであり、あらかじめカードＩＤが記録されるとともに、プリペイド価値及び持玉数が記録されている。なお、カード内にプリペイド価値及び持玉数を記憶する理由は、台間カード処理機１０がカード管理装置４０と通信できない場合に対応するためであり、通常はカード管理装置４０に記憶されたプリペイド価値及び持玉数が正とされる。
【００５１】
カード搬送部１５ａは、遊技店の会員に対して発行される会員カードや一般カードが挿入された場合に、カードを同図のＺ軸の正方向へと搬送する。また、カードを排出する場合には、カードを同図のＺ軸の負方向へと搬送する。リーダライタ部１５ｂは、カードとのデータ送受信を行うアンテナ部１５ｃを有している。また、リーダライタ部１５ｂは、かかるデータ送受信に際して、カードをアンテナ部１５ｃ上に保持する。
【００５２】
カード収納部１５ｄは、所定枚数の一般カードを最大１０枚程度スタック式で収納でき、開店前には５枚程度収納される。また、持玉データが関連付けられた一般カード又は会員カードが挿入口から挿入された場合には、リーダライタ部１５ｂにてカードＩＤを読み取り、このカードＩＤに対応するプリペイド価値及び持玉数をカード管理装置４０から受け取り台間カード処理機１０内の記憶部に記憶する。この時点で、会員カード又は一般カードと持玉数との関連付けを解消し、関連付けが解消された会員カード又は一般カードは、カード収納部１５ｄの最上位の位置に収納される。
【００５３】
また、カード返却ボタン２１ａが押下操作されたならば、カード収納部１５ｄの最上位の位置に所在するカードがリーダライタ部１５ｂの位置に搬送され、台間カード処理機１０内の記憶部に記憶されたプリペイド価値及び持玉数を関連付けた後に、装置外部に排出される。
【００５４】
次に、図２に示した台間カード処理機１０、カード管理装置４０及び会員管理装置５０の内部構成について説明する。図５は、図２に示した台間カード処理機１０、カード管理装置４０及び会員管理装置５０の内部構成を示す機能ブロック図である。なお、本発明に係る部位以外の説明については図示省略している。
【００５５】
同図に示すように、台間カード処理機１０は、通信Ｉ／Ｆ部１０ａと、記憶部１０ｂと、制御部１０ｃとを有する。なお、この制御部１０ｃには、計数部１７並びに図示しない表示操作部１３及び持玉数表示部１８ａ等が接続されており、台間カード処理機１０には紙幣挿入口１５が設けられている。
【００５６】
通信Ｉ／Ｆ部１０ａは、カード管理装置４０及び会員管理装置５０とのデータ通信を行うためのインタフェース部である。記憶部１０ｂは、ハードディスク装置や不揮発性メモリ等の記憶デバイスであり、カードＩＤ１０ｂ１、プリペイド価値１０ｂ２及び持玉数１０ｂ３を記憶する。このカードＩＤ１０ｂ１は、カード収納部１５ｄの最上位の位置に収納されるカードのカードＩＤである。
【００５７】
制御部１０ｃは、台間カード処理機１０の全体制御を行う制御部であり、データ管理部１０ｃ１、一般カードフラグ処理部１０ｃ２及び払出処理部１０ｃ３を有する。データ管理部１０ｃ１は、記憶部１０ｂに記憶したプリペイド価値１０ｂ２及び持玉数１０ｂ３を用いて、カードＩＤ１０ｂ１に対応するプリペイド価値及び持玉数を管理する。
【００５８】
具体的には、紙幣挿入口１５から紙幣を受け付けた場合には、この紙幣に対応するプリペイド価値をプリペイド価値１０ｂ２に加算処理し、玉貸し操作がなされたならば、貸出玉数分のプリペイド価値をプリペイド価値１０ｂ２から減算処理する。また、新たな持玉が計数された場合には計数値を持玉数１０ｂ３に加算処理し、持玉の払い出しが行われた場合には払い出し数を持玉数１０ｂ３から減算処理する。カードを返却する場合には、カードＩＤ１０ｂ１、プリペイド価値１０ｂ２及び持玉数１０ｂ３をカード管理装置４０に通知してカード管理装置４０により管理されるカード情報４０ｄ１の更新指示を行うとともに、カード内にプリペイド価値１０ｂ２及び持玉数１０ｂ３を書き込んだ後に、該カードを返却処理する。
【００５９】
一般カードフラグ処理部１０ｃ２は、会員カードに対する一般カードフラグの設定処理を行う処理部である。カード収納部１５ｄの最上位の位置に収納されるカードが会員カードであり、記憶部１０ｂに記憶されるプリペイド価値１０ｂ２及び持玉数１０ｂ３が共に零である状態で、紙幣挿入口１５から紙幣を受け付けたならば、このカードＩＤ１０ｂ１の一般カードフラグを「オン」にする。具体的には、このカードＩＤ１０ｂ１を含み一般カードフラグを「オン」にする旨の指示をカード管理装置４０に対して通知する。かかる通知に応答して、カード管理装置４０は、カード情報４０ｄ１内のカードＩＤ１０ｂ１の一般カードフラグを「オン」にする。
【００６０】
払出処理部１０ｃ３は、持玉払出ボタンが押下操作された場合に、ノズル１４を介して持玉数のうちの所定数（例えば、１２５玉）を遊技機２０の上皿２１に投出するとともに、貸出ボタンが押下操作された場合には、カードにプリペイド価値１０ｂ２があることを条件に所定数の遊技媒体を払い出すよう遊技機２０に指示する処理部である。なお、貯玉の再プレイを行う場合には、ノズル１４を介して貯玉数のうちの所定数（例えば、１２５玉）を遊技機２０の上皿２１に投出することになる。
【００６１】
次に、カード管理装置４０は、入力部４０ａと、表示部４０ｂと、通信Ｉ／Ｆ部４０ｃと、記憶部４０ｄと、制御部４０ｅとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０及び会員管理装置５０とデータ通信するためのインタフェース部である。記憶部４０ｄは、ハードディスク装置や不揮発性メモリ等の記憶デバイスであり、カード情報４０ｄ１を記憶する。
【００６２】
図６に示すように、この記憶部４０ｄには、カードＩＤ、プリペイド価値、持玉数、一般カードフラグ及びカード状態が対応づけられたカード情報４０ｄ１が記憶されている。１０進数５桁のカードＩＤの最上位の値が会員カード又は一般カードの種別を示しており、この値が「０」であるカードＩＤ（例えば、カードＩＤ「００００１」）は会員カードを意味し、この値が「１」であるカードＩＤ（例えば、カードＩＤ「１０００１」）は一般カードを意味する。
【００６３】
また、図６に示した一般カードフラグ「０」は、一般カードフラグが「オフ」の状態を示し、一般カードフラグ「１」は、一般カードフラグが「オン」の状態を示している。さらに、カード状態は、カードが所在する機器の識別ＩＤ等を示している。例えば、カードＩＤ「００００１」は台間カード処理機１０の「Ａ１０１」内に所在し、カードＩＤ「００００２」は各機器から排出された状態であり、カードＩＤ「００００３」は台間カード処理機１０の「Ａ１２３」内に所在し、カードＩＤ「１０００２」は精算機９０の「Ｂ００１」内に所在し、カードＩＤ「００００４」は店側が回収して保管している状況を示している。なお、カード状態に図示した「Ａ」は台間カード処理機１０を意味し、「Ｂ」は精算機９０を意味し、後ろの数字は号機を示す。
【００６４】
制御部４０ｅは、カード管理装置４０を全体制御する制御部であり、カード情報管理部４０ｅ１を有する。カード情報管理部４０ｅ１は、記憶部４０ｄに記憶したカード情報４０ｄ１を用いて各カードのプリペイド価値、持玉数及び一般カードフラグ等を管理する。なお、カード情報管理部４０ｅ１は、一般カードフラグを「オン」にする場合には、該当するカードＩＤを会員管理装置５０に対して通知する。ロックフラグを立てるためである。
【００６５】
次に、会員管理装置５０は、入力部５０ａと、表示部５０ｂと、通信Ｉ／Ｆ部５０ｃと、記憶部５０ｄと、制御部５０ｅとを有する。入力部５０ａは、キーボードやマウス等の入力デバイスであり、表示部５０ｂは、液晶パネルやディスプレイ装置等の表示デバイスである。通信Ｉ／Ｆ部５０ｃは、台間カード処理機１０及びカード管理装置４０とデータ通信するためのインタフェース部である。記憶部５０ｄは、ハードディスク装置や不揮発性メモリ等の記憶デバイスであり、会員情報５０ｄ１を記憶する。
【００６６】
図７に示すように、この記憶部５０ｄには、カードＩＤ、貯玉、ポイント、暗証番号、氏名及びロックフラグ等が対応づけられた会員情報５０ｄ１が記憶されている。図７に示したロックフラグ「０（オフ）」は貯玉及びポイントの使用を容認する状態を意味し、ロックフラグ「１（オン）」は貯玉及びポイントの使用を禁止する状態を意味する。
【００６７】
制御部５０ｅは、会員管理装置５０を全体制御する制御部であり、会員情報管理部５０ｅ１を有する。会員情報管理部５０ｅ１は、記憶部５０ｄに記憶した会員情報５０ｄ１を用いて各会員の貯玉及びポイント等を管理する。なお、カード情報管理部４０ｅ１からカードＩＤを受信したならば、このカードＩＤに対応するロックフラグを「１（オン）」にする。一般カードフラグをオンとした会員カードを一般カードとして取り扱うことに伴って、貯玉及びポイントの使用を制限するためである。
【００６８】
次に、図２に示した景品管理装置６０の構成について説明する。図８は、図２に示した景品管理装置６０の構成を示す機能ブロック図である。同図に示すように、景品管理装置６０は、景品交換処理を行う店員が視認する液晶パネル等からなる店側表示部６０ａと、景品交換操作を行うための各種キーが割り付けられた操作部６０ｂと、遊技客に情報を提供するための客側表示部６０ｃと、カード管理装置４０等と通信を行うための通信Ｉ／Ｆ部６０ｄとを有する。また、ハードディスク装置や不揮発性メモリ等からなる記憶部６０ｅと、景品管理装置６０の全体制御を行う制御部６０ｆとを有する。さらに、この景品管理装置６０には、リーダライタ７０及び特殊景品払出装置７５が接続されている。
【００６９】
記憶部６０ｅには、景品交換処理に必要となる景品管理データ６０ｅ１が格納されている。この景品管理データ６０ｅ１は、各景品の景品交換に必要となる交換玉数や、景品の在庫数などのデータからなる。
【００７０】
制御部６０ｆは、景品管理部６０ｆ１及び景品交換処理部６０ｆ２を有する。景品管理部６０ｆ１は、記憶部６０ｅに記憶した景品管理データ６０ｅ１を用いて景品の管理を行う管理部であり、景品交換処理部６０ｆ２は、持玉数や貯玉数を特殊景品又は一般景品に景品交換処理する処理部である。
【００７１】
具体的には、この景品交換処理部１０ｆ２では、リーダライタ７０によりカードＩＤが読み取られたならば、カード種別（会員カード又は一般カード）を判定するとともに、このカードＩＤをカード管理装置４０に送信して持玉数、プリペイド価値及び一般カードフラグを確認するとともに、一般カードフラグが「オフ」の会員カードについては、会員管理装置５０から暗証番号、貯玉数、ポイント数等を取得する。そして、一般カードフラグが「オフ」の会員カードである場合には、リーダライタ７０に設けられたタッチパネルから暗証番号の入力を受け付け、この暗証番号の正当性を確認した後に持玉数の景品交換処理を行う。また、貯玉数の景品交換処理あるいはポイントの利用を行うことができる。
【００７２】
これに対して、一般カードである場合又は会員カードであるが一般カードフラグが「オン」である場合には、暗証番号入力を要求することなく、持玉数の景品交換処理を行い、その後カードを排出する。
【００７３】
このように、この景品管理装置６０は、会員カードであっても、一般カードフラグが「オン」である場合には、この会員カードを一般カードとして取り扱うこととしている。なお、一般カードフラグが「オン」であり、かつプリペイド価値が存在しない場合には、景品交換終了後に会員カードを回収させる旨を店側表示部６０ａに表示する。これにより、会員が忘れた会員カードを回収することができる。なお、この会員カードを回収した店員が所定の操作を行うことで、一般カードフラグを「オフ」にするとともに、カード状態を「回収済」とするようカード管理装置４０に要求することができる。
【００７４】
次に、図２に示した精算機９０の構成について説明する。図９は、図２に示した精算機９０の構成を示す機能ブロック図である。同図に示すように、精算機９０は、遊技客がガイダンスに沿って操作するタッチパネル型液晶パネル等からなる表示操作部９０ａと、リーダライタ９０ｂと、カード管理装置４０等と通信を行うための通信Ｉ／Ｆ部９０ｃと、ハードディスク装置や不揮発性メモリ等からなる記憶部９０ｄと、精算機９０の全体制御を行う制御部９０ｅと、現金の管理及び投出等を行う現金処理部９０ｆとを有する。
【００７５】
制御部９０ｅは、プリペイド価値を現金に精算処理する精算処理部９０ｅ１を有する。具体的には、この精算処理部９０ｅ１は、リーダライタ９０ｂによりカードＩＤが読み取られたならば、カード種別（会員カード又は一般カード）を判定するとともに、このカードＩＤをカード管理装置４０に送信して持玉数、プリペイド価値及び一般カードフラグを確認する。その結果、一般カードフラグが「オフ」の会員カードである場合には、表示操作部９０ａから暗証番号の入力を受け付け、この暗証番号の正当性を確認した後にプリペイド価値の精算処理を行って、該会員カードを返却する。
【００７６】
これに対して、一般カードである場合又は会員カードであるが一般カードフラグが「オン」である場合には、暗証番号入力を要求することなく、プリペイド価値の精算処理を行い、その後カードを装置内部に設けられたカード収納部に収納する。ただし、持玉数が存在する場合には、会員カードを返却する。
【００７７】
このように、この精算機９０は、会員カードであっても、一般カードフラグが「オン」である場合には、この会員カードを一般カードとして取り扱うこととしている。なお、一般カードフラグが「オン」である会員カードを装置内部のカード収納部に収納する場合には、一般カードフラグを「オフ」にするようカード管理装置４０に要求することができる。
【００７８】
次に、図２に示した台間カード処理機１０による紙幣受付時の処理手順について説明する。図１０は、図２に示した台間カード処理機１０による紙幣受付時の処理手順を示すフローチャートである。ここでは、説明の便宜上、紙幣が挿入された時点で台間カード処理機１０に会員カードが挿入されており、この会員カードに関連付けられたプリペイド価値及び持玉数が共に「０」であることを条件に、該会員カードの一般カードフラグを「オン」にする場合を示している。
【００７９】
同図に示すように、台間カード処理機１０は、紙幣の受付待ちの状態にあり（ステップＳ１０１；Ｎｏ）、紙幣挿入口１２から紙幣を受け付けたならば（ステップＳ１０１；Ｙｅｓ）、記憶部１０ｂに記憶されたカードＩＤ１０ｂ１、プリペイド価値１０ｂ２及び持玉数１０ｂ３を確認する（ステップＳ１０２）。
【００８０】
そして、このカード収納部１５ｄの最上部の位置に収納されるカードが会員カードであるか否かを判定する（ステップＳ１０３）。具体的には、記憶部１０ｂに記憶したカードＩＤ１０ｂ１の最上位桁が「１」である場合には一般カードであると判定し、カードＩＤ１０ｂ１の最上位桁が「０」である場合には会員カードであると判定する。
【００８１】
その結果、一般カードであると判定された場合には（ステップＳ１０３；Ｎｏ）、ステップＳ１０６に移行して、挿入された紙幣分に対応するプリペイド価値をプリペイド価値１０ｂ２に加算して（ステップＳ１０６）、処理を終了する。一般カードについては、一般カードフラグを設定する必要がないためである。一方、会員カードであると判定された場合には（ステップＳ１０３；Ｙｅｓ）、プリペイド価値１０ｂ２及び持玉数１０ｂ３が共に「０」であるか否かを判定する（ステップＳ１０４）。
【００８２】
その結果、少なくともプリペイド価値１０ｂ２又は持玉数１０ｂ３が「０」でない場合には（ステップＳ１０４；Ｎｏ）、ステップＳ１０６に移行して、挿入された紙幣分に対応するプリペイド価値をプリペイド価値１０ｂ２に加算して（ステップＳ１０６）、処理を終了する。会員カードにプリペイド価値又は持玉数が関連付けられている場合には、会員が遊技を継続していると考えられるためである。
【００８３】
これに対して、プリペイド価値１０ｂ２及び持玉数１０ｂ３が共に「０」である場合には（ステップＳ１０４；Ｙｅｓ）、一般カードフラグを「オン」にするようカード管理装置４０に対して通知する（ステップＳ１０５）。なお、この通知には、会員カードのカードＩＤも含まれる。その後、挿入された紙幣分に対応するプリペイド価値をプリペイド価値１０ｂ２に加算して（ステップＳ１０６）、処理を終了する。
【００８４】
次に、図２に示した台間カード処理機１０によるカード排出時の処理手順について説明する。図１１は、図２に示した台間カード処理機１０によるカード排出時の処理手順を示すフローチャートである。ここでは、会員カードを排出する際に、原則として会員カードの暗証番号入力を要求する場合を示している。
【００８５】
同図に示すように、台間カード処理機１０は、カード排出操作待ちの状態にある（ステップＳ２０１；Ｎｏ）。このカード排出操作とは、遊技客による遊技機２０のカード返却ボタン２１ａの押下操作を意味する。ここで、カード排出操作を受け付けたならば（ステップＳ２０１；Ｙｅｓ）、カード収納部１５ｄの最上部の位置に収納されるカードが会員カードであるか否かを判定する（ステップＳ２０２）。具体的には、記憶部１０ｂに記憶したカードＩＤ１０ｂ１の最上位桁が「１」である場合には一般カードであると判定し、カードＩＤ１０ｂ１の最上位桁が「０」である場合には会員カードであると判定する。
【００８６】
その結果、一般カードであると判定された場合には（ステップＳ２０２；Ｎｏ）、ステップＳ２０７に移行して、暗証番号入力を促すことなく後述するカード排出処理を行う。一般カードについては、暗証番号入力が不要だからである。一方、会員カードであると判定された場合には（ステップＳ２０２；Ｙｅｓ）、カードＩＤ１０ｂ１をカード管理装置４０に送信して該カードＩＤ１０ｂ１の一般カードフラグを問い合わせる。
【００８７】
そして、カードＩＤ１０ｂ１の一般カードフラグが「オン」である場合には（ステップＳ２０３；Ｎｏ）、ステップＳ２０７に移行して、暗証番号入力を促すことなく後述するカード排出処理を行う。一般カードフラグが「オン」の会員カードは、一般カードと同様の取り扱いとするためである。
【００８８】
これに対して、カードＩＤ１０ｂ１の一般カードフラグが「オフ」である場合には（ステップＳ２０３；Ｙｅｓ）、暗証番号を受け付け（ステップＳ２０４）、受け付けた暗証番号の正当性を検証する。具体的には、カードＩＤ１０ｂ１及び暗証番号を会員管理装置５０に対して送信し、該会員管理装置５０による認証結果を受け取る。なお、会員管理装置５０の会員情報５０ｄ１には、カードＩＤと暗証番号が記憶されているため、会員管理装置５０は、台間カード処理機１０からカードＩＤ１０ｂ１及び暗証番号を受信したならば、暗証番号の正当性を検証して、検証結果を台間カード処理機１０に返送する。
【００８９】
そして、暗証番号が誤っている場合には（ステップＳ２０５）、エラー表示を行った後に（ステップＳ２０６）、ステップＳ２０４に移行して再度暗証番号を入力するよう遊技客に促す（ステップＳ２０４）。なお、所定の回数暗証番号の入力に失敗した場合に、店員に対してエラー通知を行うこともできる。
【００９０】
一方、暗証番号が正しい場合には（ステップＳ２０５；Ｙｅｓ）、プリペイド価値１０ｂ２及び持玉数１０ｂ３をカード管理装置４０に通知した後（ステップＳ２０７）、該プリペイド価値１０ｂ２及び持玉数１０ｂ３をカード収納部１５ｄの最上部に位置するカードに書き込み（ステップＳ２０８）、カードを排出処理することになる。
【００９１】
次に、図２に示した景品管理装置６０による景品交換の処理手順について説明する。図１２は、図２に示した景品管理装置６０による景品交換の処理手順を示すフローチャートである。なお、具体的な一般景品又は特殊景品への持玉数の景品交換は、従前の処理と同様であるので、ここではその詳細な説明を省略する。
【００９２】
同図に示すように、景品管理装置６０は、カードの受付待ちの状態にあり（ステップＳ３０１；Ｎｏ）、カードを受け付けたならば（ステップＳ３０１；Ｙｅｓ）、該カードのカード種別、持玉数、プリペイド価値及び一般カードフラグを確認する（ステップＳ３０２）。具体的には、カードから読み出したカードＩＤの最上位桁が「１」である場合には一般カードであると判定し、カードＩＤ１０ｂ１の最上位桁が「０」である場合には会員カードであると判定する。また、カードＩＤをカード管理装置４０に通知して、持玉数、プリペイド価値及び一般カードフラグを受信する。
【００９３】
その結果、一般カードであると判定された場合には（ステップＳ３０３；Ｎｏ）、暗証番号入力を促すことなくステップＳ３０８に移行して、該一般カードに関連付けられた持玉数を景品交換処理して（ステップＳ３０８）、後述するステップＳ３０９以降の処理を行う。
【００９４】
これに対して、会員カードであると判定された場合には（ステップＳ３０３；Ｙｅｓ）、一般カードフラグの状態を確認する。一般カードフラグが「オン」である場合には（ステップＳ３０４；Ｎｏ）、一般カードの場合と同様に、暗証番号入力を促すことなくステップＳ３０８に移行して、該会員カードに関連付けられた持玉数を景品交換処理して（ステップＳ３０８）、後述するステップＳ３０９以降の処理を行う。一般カードフラグが「オン」の会員カードは、一般カードと同様の取り扱いとするためである。
【００９５】
一方、一般カードフラグが「オフ」である場合には（ステップＳ３０４；Ｎｏ）、暗証番号を受け付け（ステップＳ３０５）、受け付けた暗証番号の正当性を検証する。具体的には、カードＩＤ及び暗証番号を会員管理装置５０に対して送信し、該会員管理装置５０による認証結果を受け取る。
【００９６】
そして、暗証番号が誤っている場合には（ステップＳ３０６；Ｎｏ）、エラー表示を行った後に（ステップＳ３０７）、ステップＳ３０５に移行して再度暗証番号を入力させる（ステップＳ３０５）。なお、所定の回数暗証番号の入力に失敗した場合に、店員に対してエラー通知を行うこともできる。一方、暗証番号が正しい場合には（ステップＳ３０６；Ｙｅｓ）、会員カードに関連付けられた持玉数を景品交換処理する（ステップＳ３０８）。
【００９７】
その後、会員カードであり（ステップＳ３０９；Ｙｅｓ）、かつ、一般カードフラグが「オン」である場合には（ステップＳ３１０；Ｙｅｓ）、一般カード扱いの会員カードであるために「回収する旨」を強調表示した後（ステップＳ３１１）、カードを排出する（ステップＳ３１２）。かかる強調表示を視認した店員は、この会員カードを所定の回収位置に回収する。
【００９８】
これに対して、会員カードであり（ステップＳ３０９；Ｙｅｓ）、かつ、一般カードフラグが「オフ」である場合には（ステップＳ３１０；Ｎｏ）、遊技客に会員カードを返却する旨を表示した後（ステップＳ３１３）、カードを排出する（ステップＳ３１２）。かかる表示を視認した店員は、この会員カードを遊技客に返却する。
【００９９】
また、一般カードであり（ステップＳ３０９；Ｎｏ）、かつ、残余のプリペイド価値が関連付けられている場合には（ステップＳ３１４；Ｎｏ）、ステップＳ３１３に移行して、遊技客に会員カードを返却する旨を表示した後（ステップＳ３１３）、カードを排出する（ステップＳ３１２）。かかる表示を視認した店員は、この会員カードを遊技客に返却する。
【０１００】
さらに、一般カードであり（ステップＳ３０９；Ｎｏ）、かつ、残余のプリペイド価値が関連付けられていない場合には（ステップＳ３１４；Ｙｅｓ）、回収すべき旨を表示して（ステップＳ３１５）、カードを排出する（ステップＳ３１２）。かかる表示を視認した店員は、この一般カードを会員カードと区別して所定の回収位置に回収する。なお、一般カードフラグが「オフ」の会員カードに限り、貯玉数の景品交換が可能となる。
【０１０１】
次に、図２に示した精算機９０による精算処理手順について説明する。図１３は、図２に示した精算機９０による精算処理手順を示すフローチャートである。なお、具体的なプリペイド価値から貨幣への精算処理は、従前の処理と同様であるので、ここではその詳細な説明を省略する。
【０１０２】
同図に示すように、精算機９０は、カードの受付待ちの状態にあり（ステップＳ４０１；Ｎｏ）、カードを受け付けたならば（ステップＳ４０１；Ｙｅｓ）、該カードのカード種別、持玉数、プリペイド価値及び一般カードフラグを確認する（ステップＳ４０２）。具体的には、カードから読み出したカードＩＤの最上位桁が「１」である場合には一般カードであると判定し、カードＩＤ１０ｂ１の最上位桁が「０」である場合には会員カードであると判定する。また、カードＩＤをカード管理装置４０に通知して、持玉数、プリペイド価値及び一般カードフラグを受信する。
【０１０３】
その結果、一般カードであると判定された場合には（ステップＳ４０３；Ｎｏ）、暗証番号入力を促すことなくステップＳ４０８に移行して、該一般カードに関連付けられたプリペイド価値を精算処理する（ステップＳ４０８）。一般カードの場合には、暗証番号入力が不要だからである。
【０１０４】
これに対して、会員カードであると判定された場合には（ステップＳ４０３；Ｙｅｓ）、一般カードフラグの状態を確認する。一般カードフラグが「オン」である場合には（ステップＳ４０４；Ｎｏ）、一般カードの場合と同様に、暗証番号入力を促すことなくステップＳ４０８に移行して、該会員カードに関連付けられたプリペイド価値を精算処理する（ステップＳ４０８）。一般カードフラグが「オン」の会員カードは、一般カードと同様の取り扱いとするためである。
【０１０５】
一方、一般カードフラグが「オフ」である場合には（ステップＳ４０４；Ｎｏ）、暗証番号を受け付け（ステップＳ４０５）、受け付けた暗証番号の正当性を検証する。具体的には、カードＩＤ及び暗証番号を会員管理装置５０に対して送信し、該会員管理装置５０による認証結果を受け取る。
【０１０６】
そして、暗証番号が誤っている場合には（ステップＳ４０６；Ｎｏ）、エラー表示を行った後に（ステップＳ４０７）、ステップＳ４０５に移行して再度暗証番号を入力させる（ステップＳ４０５）。なお、所定の回数暗証番号の入力に失敗した場合に、店員に対してエラー通知を行うこともできる。一方、暗証番号が正しい場合には（ステップＳ４０６；Ｙｅｓ）、会員カードに関連付けられたプリペイド価値を精算処理する（ステップＳ４０８）。
【０１０７】
その後、会員カードであり（ステップＳ４０９；Ｙｅｓ）、かつ、一般カードフラグが「オン」である状態で（ステップＳ４１０；Ｎｏ）、持玉が存在しない場合には（ステップＳ４１２；Ｙｅｓ）、カードを所定のカード収納部に回収し（ステップＳ４１３）、処理を終了する。会員が取り忘れた可能性が高い一般カードフラグが「オン」の会員カードは回収すべきだからである。
【０１０８】
一方、持玉が存在する場合には（ステップＳ４１２；Ｎｏ）、カードを排出して（ステップＳ４１１）、処理を終了する。また、会員カードであり（ステップＳ４０９；Ｙｅｓ）、かつ、一般カードフラグが「オフ」である場合には（ステップＳ４１０；Ｙｅｓ）、カードを排出して（ステップＳ４１１）、処理を終了する。
【０１０９】
また、一般カードであり（ステップＳ４０９；Ｎｏ）、かつ、持玉が存在しない場合には（ステップＳ４１２；Ｙｅｓ）、カードを所定のカード収納部に回収し（ステップＳ４１３）、処理を終了する。一方、持玉が存在する場合には（ステップＳ４１２；Ｎｏ）、カードを排出して（ステップＳ４１１）、処理を終了する。
【０１１０】
次に、会員が会員カードを取り忘れ、その後に会員カードの紛失を届け出た場合の処理手順について説明する。図１４は、会員が会員カードを取り忘れ、その後に会員カードの紛失を届け出た場合の処理手順を示すフローチャートである。ここでは、店員がカード管理装置４０を操作して会員カードを検索する場合を説明するが、会員管理装置５０又は景品管理装置６０等の他の機器から検索することもできる。
【０１１１】
図１４に示すように、会員カードを取り忘れた会員から会員カードの紛失届が提出された場合には、遊技店の店員がカード管理装置４０を用いて会員カードの検索操作を行う。具体的には、店員は、検索モードに入った後、会員情報の受け付け待ちの状態（ステップＳ５０１；Ｎｏ）のカード管理装置４０に会員の氏名等の会員情報を入力し（ステップＳ５０１；Ｙｅｓ）、カードＩＤを特定する（ステップＳ５０２）。すなわち、カード管理装置４０は、受け付けた会員情報を会員管理装置５０に送信して該会員情報に対応するカードＩＤを受信する。会員管理装置５０は、カード管理装置４０から会員情報を受信したならば、この会員情報に対応するカードＩＤをカード管理装置４０に対して返信する。
【０１１２】
その後、カード管理装置４０は、カード情報４０ｄ１を検索してカードの所在場所を検索する（ステップＳ５０３）。例えば、図６に示したカードＩＤ「００００１」の会員カードを検索すると、識別ＩＤが「Ａ１０１」の台間カード処理機１０内に所在することが分かる。
【０１１３】
ここで、このカードの一般カードフラグが「オン」である場合には（ステップＳ５０４；Ｙｅｓ）、この会員カードがその時点で他の遊技客に使用されていることを意味するため、この会員カードに関連付けられるべき持玉及びプリペイド価値を次の一般カードに移行させた後に（ステップＳ５０５）、会員カードを排出する（ステップＳ５０６）。一方、このカードの一般カードフラグが「オフ」である場合には（ステップＳ５０４；Ｎｏ）、そのまま会員カードを排出する（ステップＳ５０６）。
【０１１４】
これにより、例えば台間カード処理機１０にプリペイド価値及び持玉数が存在する場合であっても、この係員操作によりプリペイド価値及び持玉数が共に「０」の会員カードが排出される。なお、この会員カードが排出されたとしても、遊技客は、プリペイド価値及び持玉数を用いて遊技を継続することができ、また次の位置に収納される一般カードにプリペイド価値及び持玉数を関連付けることもできる。なお、会員カードの一般カードフラグが「オフ」である場合には、その時点で他の遊技客が会員カードを使用していないため、店員が該当する機器に赴いて会員カードを回収する。
【０１１５】
なお、台間カード処理機１０から会員カードを排出する場合には、リモコン等の従業員操作によりカード排出を実行することができ、精算機９０から会員カードを排出する場合には、カード収納部から会員カードを取り出すことになる。また、回収済みの会員カードは、景品交換カウンタ等に設けられた所定の保管場所から会員カードを取り出すことになる。このようにして回収された会員カードは、その会員番号等を確認して、遊技客に返却される。
【０１１６】
上述してきたように、本実施例では、台間カード処理機１０は、カード収納部１５ｄの最上部の位置に収納されたカードが会員カードであり、該会員カードに関連付けられたプリペイド価値及び持玉数が「０」である状態で紙幣を受け付けた場合に、該会員カードを一般カードとして取り扱うための一般カードフラグ「オン」を会員カードに設定するようカード管理装置４０に依頼し、遊技店に配設された各機器（台間カード処理機１０、景品管理装置６０、精算機９０）は、受け付けた会員カードに一般カードフラグが設定されている場合には、該会員カードを一般カードとして取り扱い制御するよう構成したので、会員が台間カード処理機１０から会員カードを取り忘れた場合に、他の遊技客への悪影響並びに店員の労力を効率良く低減することができる。
【０１１７】
なお、本実施例では、カード管理装置４０が図６に示したカード情報４０ｄ１を用いてカードを管理する場合を示したが、本発明はこれに限定されるものではなく、図１５に示したカード情報を用いることもできる。図１５に示したカード情報は、カードＩＤごとに初回フラグを記憶している。この初回フラグとは、遊技店が開店してから初めての入金であるか否かを示すフラグである。この初回フラグが「０（オフ）」であれば、価値が無い状態からの入金であっても、会員本人が紙幣を挿入して遊技を開始した可能性が極めて高い。このため、紙幣が挿入された場合に、プリペイド価値及び持玉数が共に「０」であり、かつ、初回フラグが「１（オン）」である場合に、一般カードフラグを「１（オン）」にすることが可能となる。これにより、会員自身が紙幣を挿入しているのにも関わらず、この会員カードに一般カードフラグ「１（オン）」が設定される状況を回避することができる。なお、初回フラグは、閉店処理時にリセット（全てを「０（オフ）」）にされる。
【０１１８】
また、台間カード処理機１０の記憶部１０ｂに記憶したプリペイド価値１０ｂ２及び持玉数１０ｂ３が共に「０」になってからの経過時間を計測しておき、紙幣が挿入された場合に、プリペイド価値及び持玉数が共に「０」であり、かつ、上記経過時間が所定の時間以上である場合に、一般カードフラグを「１（オン）」にすることもできる。これにより、会員自身が紙幣を挿入しているのにも関わらず、この会員カードに一般カードフラグ「１（オン）」が設定される状況を回避することができる。
【０１１９】
さらに、上記実施例では、プリペイド価値及び持玉数が共に「０」であることを一般カードフラグ「１（オン）」の条件としたが、本発明はこれに限定されるものではなく、プリペイド価値及び持玉数が共に「所定値未満」であることを条件とすることもできる。遊技客は、全てのプリペイド価値及び持玉数を使い切らずに会員カードを取り忘れるケースも考えられるからである。さらに、プリペイド価値又は持玉数のいずれか一方が「０」又は「所定値未満」であることを一般カードフラグ「１（オン）」の条件とすることもできる。また、プリペイド価値と持玉数を所定の共通単位に換算したうえで合算し、合算値が所定値未満であるか否かによって判定することもできる。具体的には、持玉数を１玉４円で金額換算し、プリペイド価値と合算した金額が５００円未満であれば、一般カードフラグを有効化することもできる。
【０１２０】
また、上記実施例では、遊技店内に配設した機器の一例として、本発明を台間カード処理機１０、景品管理装置６０及び精算機９０に適用した場合を示したが、本発明はこれに限定されるものではなく、カード発行機等の他の機器に適用することもできる。さらに、上記実施例では、カード管理装置４０と会員管理装置５０を別装置とした場合を示したが、本発明はこれに限定されるものではなく、カード管理装置４０と会員管理装置５０を一体化した場合に適用することもできる。
【０１２１】
また、上記実施例では、各台計数機能付きの台間カード処理機１０に本発明を適用する場合を示したが、本発明はこれに限定されるものではなく、各台計数機能を有さない台間カード処理機１０に本発明を適用することもできる。さらに、上記実施例では、台間カード処理機１０が各台計数処理及びカードを用いた玉貸し処理の双方を行う場合を示したが、本発明はこれに限定されるものではなく、各台計数処理とカードを用いた玉貸し処理を別装置で行ういわゆるダブルサンドの場合にも適用することができる。また、上記実施例では、ＩＣカードからなる一般カード及び会員カードを用いた場合を示したが、本発明はこれに限定されるものではなく、磁気カードやＩＣコインを用いた場合に適用することもできる。
【０１２２】
また、上記実施例では、一般カードフラグを用いる場合を説明したが、本発明はこれに限定されるものではなく、一般カードとして取り扱うべき会員カードのカードＩＤを暫定的に特殊なカードＩＤに変更することで、一般カードとして取り扱うべき会員カードを通常の会員カードと区分することも可能である。
【産業上の利用可能性】
【０１２３】
以上のように、本発明に係る遊技システム及び会員用記録媒体処理方法は、会員が会員カードを取り忘れた際の他の遊技客への悪影響並びに店員の労力を効率良く低減する場合に適している。
【符号の説明】
【０１２４】
１０    台間カード処理機
１０ａ    通信Ｉ／Ｆ部
１０ｂ    記憶部
１０ｂ１    カードＩＤ
１０ｂ２    プリペイド価値
１０ｂ３    持玉数
１０ｃ    制御部
１０ｃ１    データ管理部
１０ｃ２    一般カードフラグ処理
１０ｃ３    払出処理部
１１    状態表示部
１２    紙幣挿入部
１３    表示操作部
１４    ノズル
１５    カードユニット部
１５ａ    カード搬送部１５ａ
１５ｂ    リーダライタ部
１５ｃ    アンテナ部
１５ｄ    カード収納部
１６    携帯読取部
１７    計数部
１８    持玉貯留部
１８ａ    持玉数表示部
１８ｂ    持玉払出ボタン
２０    遊技機
２１    上皿
２１ａ    カード返却ボタン
２２    下皿
３０    島コントローラ
４０    カード管理装置
４０ａ    入力部
４０ｂ    表示部
４０ｃ    通信Ｉ／Ｆ部
４０ｄ    記憶部
４０ｄ１    カード情報
４０ｅ    制御部
４０ｅ１    カード情報管理部
５０    会員管理装置
５０ａ    入力部
５０ｂ    表示部
５０ｃ    通信Ｉ／Ｆ部
５０ｄ    記憶部
５０ｄ１    会員情報
５０ｅ    制御部
５０ｅ１    会員情報管理部
６０    景品管理装置
７０    リーダライタ
７５    特殊景品払出装置
８０    島端計数機
９０    精算機
１００    通信回線
【図１】
2012228440.tif 000003
【図２】
2012228440.tif 000004
【図３】
2012228440.tif 000005
【図４】
2012228440.tif 000006
【図５】
2012228440.tif 000007
【図６】
2012228440.tif 000008
【図７】
2012228440.tif 000009
【図８】
2012228440.tif 000010
【図９】
2012228440.tif 000011
【図１０】
2012228440.tif 000012
【図１１】
2012228440.tif 000013
【図１２】
2012228440.tif 000014
【図１３】
2012228440.tif 000015
【図１４】
2012228440.tif 000016
【図１５】
2012228440.tif 000017